(57)【要約】【課題】入力された位置を正確にセンシングし、入力された信号を伝送するリード電極の個数を減少させ、単一の電極層を有し、マルチタッチが可能な入力装置を実現する。【解決手段】本発明の実施例による入力装置は、第１領域及び第１領域に隣接する第２領域を含む基板、第１領域に配置され、互いに電気的に接続される複数個の第１センシング電極、第２領域に配置され、互いに電気的に接続される複数個の第２センシング電極、及び前記第１センシング電極と交互に及び第２センシング電極と交互に配置され、互いに電気的に接続される複数個の第３センシング電極を含み、第１センシング電極、第２センシング電極及び第３センシング電極は、一列に配置される。【選択図】図１
2012515967.tif 000002
【特許請求の範囲】
【請求項１】
第１領域及び前記第１領域に隣接する第２領域を含む基板、
前記第１領域に配置され、互いに電気的に接続される複数個の第１センシング電極、
前記第２領域に配置され、互いに電気的に接続される複数個の第２センシング電極、及び
前記第１センシング電極と交互に及び前記第２センシング電極と交互に配置され、互いに電気的に接続される複数個の第３センシング電極を含み、
前記第１センシング電極、前記第２センシング電極及び前記第３センシング電極は、一列に配置されることを特徴とする入力装置。
【請求項２】
前記基板は、前記第２領域に隣接する第３領域を含み、
前記第３領域に配置され、前記第２センシング電極に電気的に接続される複数個の第４センシング電極、及び
前記第３領域に配置され、前記第４センシング電極と交互に配置され、互いに電気的に接続される第５センシング電極を含み、
前記第１センシング電極、前記第２センシング電極、前記第３センシング電極、前記第４センシング電極及び前記第５センシング電極は、一列に配置されることを特徴とする請求項１に記載の入力装置。
【請求項３】
前記第１センシング電極、前記第２センシング電極及び前記第３センシング電極は、第１方向に一列に配置され、
前記第１センシング電極は、位置によって互いに異なる面積を有し、
前記第１方向に進むにしたがって次第にさらに広いか、またはさらに小さい面積を有する第１センシング電極が配置されることを特徴とする請求項１に記載の入力装置。
【請求項４】
前記第３センシング電極は、位置によって互いに異なる面積を有し、
前記第１方向に進むにしたがって次第にさらに広いか、またはさらに小さい面積を有する第３センシング電極が配置されることを特徴とする請求項３に記載の入力装置。
【請求項５】
第１方向に延長され、前記第１センシング電極と接続される第１主電極、
前記第１方向に延長され、前記第２センシング電極と接続される第２主電極、及び
前記第１方向に延長され、前記第３センシング電極と接続される第３主電極を含むことを特徴とする請求項１に記載の入力装置。
【請求項６】
前記第１主電極及び前記第２主電極は、前記第１方向に一列に配置されることを特徴とする請求項５に記載の入力装置。
【請求項７】
前記第１センシング電極、前記第２センシング電極及び前記第３センシング電極は、同一のレイヤーに配置されることを特徴とする請求項１に記載の入力装置。
【請求項８】
第１領域及び前記第１領域に隣接する第２領域を含む基板、
第１方向に延長される第１主電極及び前記第１主電極から延長される複数個の第１分岐電極を含み、前記第１領域に配置される第１透明電極、
前記第１方向に延長される第２主電極及び前記第２主電極から延長される第２分岐電極を含み、前記第１領域及び前記第２領域にわたって配置される第２透明電極、及び
前記第１方向に延長される第３主電極及び前記第３主電極から延長される複数個の第３分岐電極を含み、前記第２領域に配置される第３透明電極を含むことを特徴とする入力装置。
【請求項９】
前記第１分岐電極は、位置によって互いに異なる面積を有し、
前記第１方向に進むにしたがって、前記基板上に次第に広いか、または小さい面積を有する第１分岐電極が配置されることを特徴とする請求項８に記載の入力装置。
【請求項１０】
前記第３分岐電極は、位置によって互いに異なる面積を有し、
前記第１方向に進むにしたがって、前記基板上に次第に広いか、または小さい面積を有する第３分岐電極が配置されることを特徴とする請求項９に記載の入力装置。
【請求項１１】
前記第１分岐電極、前記第２分岐電極及び前記第３分岐電極は、一列に配置され、
前記第１分岐電極及び前記第２分岐電極の一部は、互いに交互に配置され、
前記第３分岐電極及び前記第２分岐電極の他の一部は、互いに交互に配置されることを特徴とする請求項８に記載の入力装置。
【請求項１２】
前記第１透明電極、前記第２透明電極及び前記第３透明電極の少なくとも一つに隣接して配置されるグラウンド電極を含むことを特徴とする請求項８に記載の入力装置。
【請求項１３】
前記基板は、前記第２領域に隣接する第３領域を含み、
前記第３領域に配置される第４透明電極を含むことを特徴とする請求項８に記載の入力装置。
【発明の詳細な説明】
【技術分野】
【０００１】
本発明は、入力装置に関するものである。
【背景技術】
【０００２】
グラフィックユーザインターフェース（ｇｒａｐｈｉｃ  ｕｓｅｒ  ｉｎｔｅｒｆａｃｅ、ＧＵＩ）システムの発達及び大衆化するにしたがって、入力が簡単なタッチスクリーンの使用が普遍化された。
【０００３】
タッチスクリーンは、抵抗膜方式、静電容量方式、光センサー方式、超音波方式、電磁気（ｅｌｅｃｔｒｏｍａｇｎｅｔｉｃ）方式、及びベクトルフォース（ｖｅｃｔｏｒ  ｆｏｒｃｅ）方式などを採用することができる。
【０００４】
抵抗膜方式は、二つの基板の間の透明導電膜が接触して動作する方式で、現在まで出たタッチスクリーン方式の中に一番容易に具現可能でかつ性能に優れているが、機械及び環境面で信頼性が劣る短所がある。
【０００５】
光センサー方式は、光出力素子と光入力素子との間の光経路が遮断される時に位置を判別する方式で、外光の影響を受ける短所と、外郭部に回路部を設けるため外郭のサイズが大きくなる短所がある。
【０００６】
超音波方式または表面弾性波方式（Ｓｕｒｆａｃｅ  Ａｃｏｕｓｔｉｃ  Ｗａｖｅ）も、光センサー方式と類似して音波発生素子と音波認識素子との間の音波の経路が遮断される時に位置を判別する方式で、工場の騷音またはノイズに脆弱な短所がある。
【０００７】
電磁気方式は、ファラデーの法則の磁石と起電力の発生原理を用いた方式であって、各位置別に単位コイルに流れる電流の量を判断して座標を計算する。コイルに交流信号を印加しなければならないため、特殊な専用ペンを必要とする。
【０００８】
静電容量方式は、センサー電極と指との間に結合される静電容量の変化にしたがって流れる微細な電流を感知して位置を判別する方式で、ノイズ信号に脆弱な短所があるが、環境面での信頼性が高く、タッチスクリーンの上部保護層を変更することによって機械面での信頼性も自由に変えることのできる長所がある。静電容量方式は、アナログ方式とデジタル方式とに分けられる。
【発明の概要】
【発明が解決しようとする課題】
【０００９】
本発明は、入力された位置を正確にセンシングし、入力された信号を伝送するリード電極の個数を減少させ、単一の電極層を有し、マルチタッチが可能な入力装置を提供する。
【課題を解決するための手段】
【００１０】
一実施例による入力装置は、第１領域及び前記第１領域に隣接する第２領域を含む基板、前記第１領域に配置され、互いに電気的に接続される複数個の第１センシング電極、前記第２領域に配置され、互いに電気的に接続される複数個の第２センシング電極、及び前記第１センシング電極と交互に及び前記第２センシング電極と交互に配置され、互いに電気的に接続される複数個の第３センシング電極を含み、前記第１センシング電極、前記第２センシング電極及び前記第３センシング電極は、一列に配置される。
【００１１】
一実施例による入力装置は、第１領域及び前記第１領域に隣接する第２領域を含む基板、第１方向に延長される第１主電極及び前記第１主電極から延長される複数個の第１分岐電極を含み、前記第１領域に配置される第１透明電極、前記第１方向に延長される第２主電極及び前記第２主電極から延長される第２分岐電極を含み、前記第１領域及び前記第２領域にわたって配置される第２透明電極、及び前記第１方向に延長される第３主電極及び前記第３主電極から延長される複数個の第３分岐電極を含み、前記第２領域に配置される第３透明電極を含む。
【発明の効果】
【００１２】
実施例による入力装置は、マルチタッチによる信号の入力を受けることができる。つまり、第１領域に入力された信号は、第１センシング電極及び第３センシング電極によってセンシングされ、第２領域に入力された信号は、第２センシング電極及び第３センシング電極によってセンシングされる。また、第１領域に入力された信号は、第１透明電極及び第２透明電極によってセンシングされ、第２領域に入力された信号は、第２透明電極及び第３透明電極によってセンシングされる。
【００１３】
したがって、第１領域に入力された信号及び第２領域に入力された信号を一度にセンシングすることができ、実施例による入力装置は、マルチタッチによる信号の入力を受けることができる。
【００１４】
また、第１センシング電極、第２センシング電極及び第３センシング電極は、同一の平面に配置され、タッチなどの信号の入力を受けることができる。または、第１ないし第３透明電極は、同一の平面に配置されることができる。
【００１５】
したがって、実施例による入力装置は、外部からの信号をセンシングするための電極を一つのレイヤーに配置することができ、このような外部から信号をセンシングするための電極の高さの差による誤差を減少させることができる。
【００１６】
また、第１センシング電極、第２センシング電極及び第３センシング電極は、第１方向に一列に配置され、第１センシング電極、第２センシング電極または第３センシング電極は、第１方向に進むにしたがって次第にさらに広い面積を有するか、または次第にさらに小さい面積を有する。
【００１７】
これによって、第１センシング電極、第２センシング電極及び第３センシング電極から入力される信号の比を基に、タッチなどの信号が入力される位置を正確にセンシングすることができる。
【００１８】
また、第３センシング電極で第１領域及び第２領域に入力された信号を全てセンシングすることができ、第３センシング電極に一つのリード電極が接続され、信号が伝送される。つまり、第１領域及び第２領域に入力された信号をセンシングするために、第１センシング電極、第２センシング電極及び第３センシング電極に、それぞれ一つずつ総数３個のリード電極が用いられる。
【００１９】
したがって、実施例による入力装置は、少数のリード電極を用いて、入力された信号を伝送することができる。
【図面の簡単な説明】
【００２０】
【図１】実施例による静電容量方式のタッチパネルの電極構造を示す平面図である。
【図２】実施例による静電容量方式のタッチパネルの一番目のローを示す平面図である。
【図３】図１でＡ−Ａ’線に沿って切断した断面を示す断面図である。
【図４】実施例による静電容量方式のタッチパネルに信号が入力される過程を示す図である。
【図５】図４で入力された信号を示す図である。
【図６】実施例による静電容量方式のタッチパネルに信号が入力される過程を示す図である。
【図７】図６で入力された信号をスキャンする過程を示す図である。
【図８】図６で入力された信号をスキャンする過程を示す図である。
【図９】他の実施例による静電容量方式のタッチパネルの電極構造を示す平面図である。
【発明を実施するための形態】
【００２１】
実施例の説明において、各パネル、部材、層、パッドまたは基板などが、各パネル、部材、層、パッドまたは基板などの「上（ｏｎ）」にまたは「下（ｕｎｄｅｒ）」に形成されると記載する場合、「上（ｏｎ）」と「下（ｕｎｄｅｒ）」は、「直接（ｄｉｒｅｃｔｌｙ）」または「他の構成要素を介在して（ｉｎｄｉｒｅｃｔｌｙ）」形成されることを全て含む。また、各構成要素の上または下に対する基準は、図面を基準として説明する。図面での各構成要素の大きさは、説明のために誇張される場合もあり、実際に適用される大きさを意味することではない。
【００２２】
図１は、実施例による静電容量方式のタッチパネルの電極構造を示す平面図である。図２は、実施例による静電容量方式のタッチパネルの一番目のローを示す平面図である。図３は、図１でＡ−Ａ’線に沿って切断した断面を示す断面図である。図４は、実施例による静電容量方式のタッチパネルに信号が入力される過程を示す図である。図５は、図４で入力された信号を示す図である。図６は、実施例による静電容量方式のタッチパネルに信号が入力される過程を示す図である。図７及び図８は、図６で入力された信号をスキャンする過程を示す図である。
【００２３】
図１ないし図８を参照すると、実施例による静電容量方式のタッチパネルは、上部基板１０、下部基板２０、複数個の透明電極３０、複数個のリード電極５０及び複数個のパッド電極６０を含む。
【００２４】
図３を参照すると、 前記上部基板１０及び前記下部基板２０は、互いに対向する。前記上部基板１０及び前記下部基板２０は透明であり、絶縁体からなる。前記上部基板１０及び前記下部基板２０として用いられる物質の例としては、硝子または透明なプラスチックなどを挙げられる。さらに詳しくは、前記上部基板１０及び前記下部基板２０として用いられる物質の例として、ポリメチルメタクリレート（ｐｏｌｙｍｅｔｈｙｌｍｅｔｈａｃｒｙｌａｔｅ）またはポリエチレンテレフタレート（ｐｏｌｙｅｔｈｙｌｅｎｅｔｅｒｅｐｈｔｈａｌａｔｅ、ＰＥＴ）などを挙げられる。
【００２５】
前記上部基板１０はフレキシブル（ｆｌｅｘｉｂｌｅ）であり、前記下部基板２０はリジッド（ｒｉｇｉｄ）である。これとは異なって、前記上部基板１０及び前記下部基板２０いずれもリジッドであってもよい。
【００２６】
前記上部基板１０は接着層を介して前記下部基板２０に付着できる。つまり、前記上部基板１０と前記下部基板２０との間に接着層が介在される。また、前記上部基板１０と前記透明電極３０との間に接着層が介在されることができる。
【００２７】
図１を参照すると、前記下部基板２０は、複数個のローＲＷ１、ＲＷ２...に区分される。前記ローＲＷ１、ＲＷ２...は、第１方向に延長される形状を有する。また、前記ローＲＷ１、ＲＷ２...は、互いに並んで定義される。
【００２８】
また、それぞれのローＲＷ１、ＲＷ２...は、複数個のタッチ領域ＴＲ１、ＴＲ２...に区分される。前記タッチ領域ＴＲ１、ＴＲ２...は、前記第１方向に一列に配置される。
【００２９】
前記透明電極３０は、前記下部基板２０上に配置される。前記透明電極３０は、前記ローＲＷ１、ＲＷ２...に配置される。例えば、前記透明電極３０は、それぞれのローＲＷ１、ＲＷ２...に繰り返しパターンで形成される。すなわち、それぞれのローＲＷ１、ＲＷ２...に同一の数及び同一の形状の透明電極が配置される。
【００３０】
前記透明電極３０の一部は一つのタッチ領域に配置され、前記透明電極３０の残りの一部は二つのタッチ領域に配置される。
【００３１】
それぞれの透明電極３０は、第１方向に延長される主電極３１、及び前記主電極３１から第２方向に延長される分岐電極３２を含む。例えば、前記第２方向は、前記第１方向に対して垂直方向であってもよい。すなわち、前記第１方向はＸ軸方向であり、前記第２方向はＹ軸方向である。
【００３２】
この際、前記分岐電極３２は、第１方向に一列に配置され、前記分岐電極３２は第１方向の位置によって互いに異なる面積を有する。さらに詳しくは、前記第１方向に進むにしたがって次第に広い面積を有するか、または次第に小さい面積を有する。すなわち、前記第１方向に進むにしたがって、さらに広い面積を有する分岐電極が配置されるか、またはさらに小さい面積を有する分岐電極が配置される。
【００３３】
前記分岐電極３２は、平面視で、長方形形状を有する。また、前記分岐電極３２は、第１方向の位置によって互いに異なる幅を有する。さらに詳しくは、前記分岐電極３２は、第１方向に進むにしたがって次第に広い幅を有するか、または次第に小さい幅を有する。
【００３４】
前記分岐電極３２は、外部からタッチなどによって入力される信号をセンシングするセンシング電極である。また、前記主電極３１は、前記センシング電極を電気的に接続する連結部材である。
【００３５】
前記主電極３１及び前記分岐電極３２は一体に形成され、前記透明電極３０は透明であり、導電体である。前記透明電極３０は、前記下部基板２０上に透明な導電体の蒸着及びパターニング工程によって形成できる。
【００３６】
前記透明電極３０として用いられる物質の例としては、インジウムスズ酸化物（ｉｎｄｉｕｍ  ｔｉｎ  ｏｘｉｄｅ、ＩＴＯ）、または、インジウム酸化亜鉛（ｉｎｄｉｕｍ  ｚｉｎｃ  ｏｘｉｄｅ、ＩＺＯ）などを挙げられる。
【００３７】
図２を参照しながら、一番目のローＲＷ１（以下、第１ロー）の透明電極３０について、詳しく説明する。前記第１ローＲＷ１は、第１タッチ領域ＴＲ１、第２タッチ領域ＴＲ２及び第３タッチ領域ＴＲ３に区分される。前記第２タッチ領域ＴＲ２は、前記第１タッチ領域ＴＲ１に隣接して定義され、前記第３タッチ領域ＴＲ３は、前記第２タッチ領域ＴＲ２に隣接して配置される。前記第１タッチ領域ＴＲ１、前記第２タッチ領域ＴＲ２及び前記第３タッチ領域ＴＲ３は、前記第１方向に一列に定義される。
【００３８】
また、前記第１ローＲＷ１には、第１透明電極１００、第２透明電極２００、第３透明電極３００及び第４透明電極４００が配置される。
【００３９】
前記第１透明電極１００は、前記第１タッチ領域ＴＲ１のみに配置され、第１主電極１１０及び第１分岐電極１２０を含む。
【００４０】
前記第１主電極１１０は、前記第１方向に延長される。
【００４１】
前記第１分岐電極１２０は、前記第１主電極１１０から第２方向に延長される。前記第１分岐電極１２０は、前記第１主電極１１０によって互いに電気的に接続される。
【００４２】
前記第１分岐電極１２０は、複数個が前記第１方向に一列に配置される。この際、前記第１分岐電極１２０は、位置によって互いに異なる面積を有する。さらに詳しくは、前記第１分岐電極１２０は、前記第１方向に進むにしたがって次第にさらに小さい面積を有する。すなわち、前記第１方向に進むにしたがって次第にさらに小さい面積の第１分岐電極１２０が配置される。
【００４３】
つまり、一番目の第１分岐電極は一番広い面積を有し、一番広い幅Ｗ１を有する。また、二番目の第１分岐電極は二番目で広い面積及び幅Ｗ２を有し、三番目の第１分岐電極は最小の面積及び幅Ｗ３を有する。
【００４４】
前記第２透明電極２００は、前記第１タッチ領域ＴＲ１及び前記第２タッチ領域ＴＲ２にわたって配置される。前記第２透明電極２００は、第２主電極２１０及び第２分岐電極２２０を含む。
【００４５】
前記第２主電極２１０は、前記第１方向に延長され、前記第１タッチ領域ＴＲ１及び前記第２タッチ領域ＴＲ２にわたって配置される。前記第２主電極２１０は前記第１主電極１１０と並んで配置される。
【００４６】
前記第２分岐電極２２０は、前記第２主電極２１０から第２方向に延長される。前記第２分岐電極２２０は、前記第２主電極２１０によって互いに電気的に接続される。前記第２分岐電極２２０、前記第１タッチ領域ＴＲ１に配置される第２分岐電極２２１及び前記第２タッチ領域ＴＲ２に配置される第２分岐電極２２２に区分される。
【００４７】
前記第１タッチ領域ＴＲ１に配置される第２分岐電極２２１は、それぞれ前記第１分岐電極１２０の間に配置される。例えば、前記第１分岐電極１２０及び前記第１タッチ領域ＴＲ１に配置される第２分岐電極２２１は、交互に配置される。
【００４８】
前記第２分岐電極２２０は、位置によってそれぞれ異なる面積及び幅を有する。
【００４９】
例えば、前記第１タッチ領域ＴＲ１に配置される第２分岐電極２２１は、第１方向に進むにしたがって次第に広い面積を有する。また、前記第１タッチ領域ＴＲ１に配置される第２分岐電極２２１は、第１方向に進むにしたがって次第に大きい幅を有する。
【００５０】
さらに詳しくは、一番目の第２分岐電極は最小の面積及び幅Ｗ４を有し、二番目の第２分岐電極は二番目で小さい面積及び幅Ｗ５を有し、三番目の第２分岐電極は一番広い面積及び幅Ｗ６を有する。
【００５１】
前記第２タッチ領域ＴＲ２に配置される第２分岐電極２２２は、前記第１方向に進むにしたがって次第に小さい面積及び幅を有する。
【００５２】
前記第３透明電極３００は、前記第２タッチ領域ＴＲ２及び前記第３タッチ領域ＴＲ３にわたって配置される。前記第３透明電極３００は、第３主電極３１０及び第３分岐電極３２０を含む。
【００５３】
前記第３主電極３１０は、前記第１方向に延長され、前記第２タッチ領域ＴＲ２及び前記第３タッチ領域ＴＲ３にわたって配置される。前記第３主電極３１０は、前記第２主電極２１０と並んで配置され、前記第１主電極１１０と一列に配置される。
【００５４】
前記第３分岐電極３２０は、前記第３主電極３１０から第２方向に延長される。前記第３分岐電極３２０は、前記第３主電極３１０によって互いに電気的に接続される。前記第３分岐電極３２０、前記第２タッチ領域ＴＲ２に配置される第３分岐電極３２１、及び前記第３タッチ領域ＴＲ３に配置される第３分岐電極３２２に区分される。
【００５５】
前記第２タッチ領域ＴＲ２に配置される第３分岐電極３２１は、それぞれ、前記第２タッチ領域ＴＲ２に配置される第２分岐電極２２２の間に配置される。さらに詳しくは、前記第２タッチ領域ＴＲ２に配置される第２分岐電極２２２及び第３分岐電極３２１は、互いに交互に配置される。
【００５６】
前記第３分岐電極３２０は、それぞれ、位置によって他の面積及び幅を有する。
【００５７】
例えば、前記第２タッチ領域ＴＲ２に配置される第３分岐電極３２１は、前記第１方向に進むにしたがって次第に広い面積及び幅を有し、前記第３タッチ領域ＴＲ３に配置される第３分岐電極３２２は、前記第１方向に進むにしたがって次第に小さい面積及び幅を有する。
【００５８】
前記第４透明電極４００は前記第３タッチ領域ＴＲ３のみに配置される。前記第３透明電極３００は第４主電極４１０及び第４分岐電極４２０を含む。
【００５９】
前記第４主電極４１０は前記第１方向に延長され、前記第２主電極２１０と一列に配置される。
【００６０】
前記第４分岐電極４２０は前記第４主電極４１０から前記第２方向に延長される。前記第４分岐電極４２０は前記第４主電極４１０によって互いに電気的に接続される。
【００６１】
前記第４分岐電極４２０は、前記第３タッチ領域ＴＲ３に配置される第３分岐電極３２０の間に、それぞれ配置される。さらに詳しくは、前記第４分岐電極４２０及び前記第３タッチ領域ＴＲ３に配置される第３分岐電極３２０は、互いに交互に配置される。
【００６２】
前記第４分岐電極４２０は、それぞれ、位置によって互いに異なる面積及び幅を有する。例えば、前記第４分岐電極４２０は、前記第１方向に進むにしたがって次第にさらに広い面積及び幅を有する。
【００６３】
前記第１分岐電極１２０、前記第２分岐電極２２０、前記第３分岐電極３２０及び前記第４分岐電極４２０は、いずれも前記第１方向に一列に配置される。また、上記で説明したように、前記第１分岐電極１２０、前記第２分岐電極２２０、前記第３分岐電極３２０及び前記第４分岐電極４２０は、外部から入力される信号をセンシングするためのセンシング電極である。
【００６４】
さらに詳しく説明すると、前記第１分岐電極１２０は第１センシング電極であり、前記第２タッチ領域に配置される第３分岐電極３２１は第２センシング電極である。また、第２分岐電極２２０は第３センシング電極であり、前記第３タッチ領域に配置される第３分岐電極３２２は第４センシング電極である。また、第４分岐電極４２０は第５センシング電極である。
【００６５】
これによって、上記で説明したように、前記第１センシング電極は、前記第１タッチ領域に配置され、互いに電気的に接続される。また、前記第２センシング電極は、前記第２タッチ領域に配置され、互いに電気的に接続される。
【００６６】
前記第３センシング電極は、前記第１タッチ領域及び前記第２タッチ領域に配置される。前記第３センシング電極は、前記第１センシング電極と交互に及び前記第２センシング電極と交互に配置され、互いに電気的に接続される。
【００６７】
前記第４センシング電極は互いに電気的に接続される。また、前記第４センシング電極は前記第３タッチ領域に配置され、前記第２センシング電極に電気的に接続される。
【００６８】
また、前記第５センシング電極は、前記第３タッチ領域に配置され、互いに電気的に接続される。また、前記第５センシング電極は、前記第４センシング電極と交互に配置される。
【００６９】
前記第１センシング電極、前記第２センシング電極、前記第３センシング電極、第４センシング電極及び前記第５センシング電極は、第１方向に一列に配置される。
【００７０】
前記第１センシング電極、前記第２センシング電極、前記第３センシング電極、第４センシング電極及び前記第５センシング電極は、第１方向に進むにしたがって次第にさらに広い面積を有するか、または次第にさらに狭い面積を有する。
【００７１】
前記第１センシング電極、前記第２センシング電極、前記第３センシング電極、第４センシング電極及び前記第５センシング電極は、第１方向に進むにしたがって次第にさらに広い幅を有するか、または次第にさらに狭い幅を有する。
【００７２】
また、一つのタッチ領域に配置される分岐電極を基準に、互いに隣り合う二つの分岐電極の合計が一定であってもよい。この際、前記互いに隣り合う二つの分岐電極の幅の合計をピッチＰといい、前記ピッチＰの合計は一定である。
【００７３】
また、前記互いに隣り合う二つの分岐電極によって形成される領域をセンシング領域ＳＲといい、複数個のセンシング領域ＳＲが一つのタッチ領域で定義される。
【００７４】
例えば、前記第１タッチ領域ＴＲ１は、３個のセンシング領域ＳＲで定義できる。この際、一つのセンシング領域ＳＲは、互いに隣り合う第１分岐電極及び第２分岐電極によって定義される。
【００７５】
前記ピッチＰは、前記センシング領域ＳＲの幅と実質的に同一であってもよい。またこの際、前記ピッチＰは、約０．１ｍｍないし約１０ｍｍである。さらに詳しくは、前記ピッチＰは、約０．１ｍｍないし約３ｍｍである。
【００７６】
前記センシング領域ＳＲによって、複数個のコラムＣＬ１...ＣＬ６が定義できる。前記センシング領域ＳＲは、第２方向に列をなして配置されてもよく、これによって、前記コラムＣＬ１...ＣＬ６が定義される。
【００７７】
再び図１を参照すると、前記リード電極５０は、それぞれ前記透明電極３０に電気的に接続される。前記リード電極５０は、主電極３１にそれぞれ直接的に接続されるか、連結電極４０を介して接続される。また、前記リード電極５０は、前記パッド電極６０にそれぞれ接続される。つまり、前記リード電極５０は、それぞれ、前記パッド電極６０及び前記主電極３１を連結する。
【００７８】
前記パッド電極６０は、フレキシブルプリント回路基板（ｆｌｅｘｉｂｌｅ  ｐｒｉｎｔｅｄ  ｃｉｒｃｕｉｔ  ｂｏａｒｄ、ＦＰＣＢ）に異方性導電フィルム（ａｎｉｓｏｔｒｏｐｉｃ  ｃｏｎｄｕｃｔｉｖｅ  ｆｉｌｍ、ＡＣＦ）によってポンディングされる。前記フレキシブルプリント回路基板は、システムまたはドライバＩＣのような駆動部に実施例によるタッチパネルを連結する。
【００７９】
前記リード電極５０、前記連結電極４０及び前記パッド電極６０として用いられる物質の例としては、モリブデン、アルミニウム、銅、チタン、銀、及びこれらの合金などを挙げられる。前記リード電極５０、前記連結電極４０及び前記パッド電極６０は、一体に形成される。
【００８０】
図４及び図５を参照すると、実施例による静電容量方式のタッチパネルは、次のようにタッチ信号の入力を受けることができる。
【００８１】
ユーザの指のような導体が前記上部基板１０に接触するかまたは隣接するようになる。この際、前記指と一部の透明電極３０との間にキャパシタンスが形成される。
【００８２】
前記駆動部は、前記パッド電極６０及び前記リード電極５０を通じて、前記キャパシタンスの入力を受ける。例えば、前記駆動部は、前記パッド電極６０及び前記リード電極５０を通じて、前記透明電極３０にデジタル信号、パルス信号または交流電圧を印加し、前記指とのキャパシタンスを測定することができる。
【００８３】
この際、前記駆動部は、前記キャパシタンスがセンシングされた透明電極の位置によって、前記指の位置を感知することができる。例えば、前記駆動部は、前記キャパシタンスがセンシングされた透明電極が配置されるローを把握して、前記指のＹ軸の座標を測定することができる。
【００８４】
また、前記駆動部は、前記キャパシタンスがセンシングされた透明電極を把握して、どのタッチ領域に前記指が配置されるかを測定することができる。
【００８５】
例えば、図４のように、前記第１ローＲＷ１の第１タッチ領域ＴＲ１に第１指Ｂが配置される際、前記第１透明電極１００から第１信号Ｘ１Ｙ１が入力され、前記第２透明電極２００から第２信号Ｘ２Ｙ１が入力される。これによって、前記駆動部は、前記第１タッチ領域ＴＲ１に指が配置されることを測定することができる。
【００８６】
また、それぞれの透明電極から入力されるキャパシタンスなどの信号の比によって、前記指の位置を感知することができる。すなわち、前記分岐電極３２の面積は、位置によって互いに異なるため、前記指の位置によって、それぞれの透明電極３０と指の間のキャパシタンスの大きさが変わる。これによって、それぞれのタッチ領域で指の位置は、それぞれのタッチ領域に配置される透明電極３０から入力される信号の比によって測定できる。
【００８７】
例えば、図４及び図５のように、前記第１指Ｂの位置は、前記第１信号Ｘ１Ｙ１及び前記第２信号Ｘ２Ｙ１の比によって測定される。また、前記第１指Ｂの正確な位置は、前記第１信号Ｘ１Ｙ１及び前記第２信号Ｘ２Ｙ１を正規分布特性にフィッティング（ｆｉｔｔｉｎｇ）して測定できる。また、前記第１指Ｂの正確な位置は、前記第１信号Ｘ１Ｙ１及び前記第２信号Ｘ２Ｙ１を様々な方式で処理して測定できる。
【００８８】
また、実施例による静電容量方式のタッチパネルは、互いに異なるタッチ領域にそれぞれ入力されるマルチタッチ信号をセンシングすることができる。
【００８９】
例えば、図４及び図５を参照すると、前記第１ローＲＷ１の第３タッチ領域ＴＲ３に第２指Ｃが配置されるとき、前記第３透明電極３００から第３信号が入力され、前記第４透明電極４００から第４信号が入力される。
【００９０】
同様に、前記第３信号及び前記第４信号の比を計算して、前記第２指Ｃの位置は正確に測定できる。
【００９１】
したがって、前記駆動部は、前記第１指Ｂの位置及び前記第２指Ｃの位置を一度に測定することができる。
【００９２】
さらに、図６ないし図８を参照すると、互いに隣接するタッチ領域に、それぞれ、タッチ信号が入力されるとき、それぞれの位置をセンシングする方法は、次の通りである。
【００９３】
例えば、前記第１タッチ領域ＴＲ１及び前記第２タッチ領域ＴＲ２にそれぞれ指が位置する時、それぞれの指は、時間差をおいて前記第１タッチ領域ＴＲ１及び前記第２タッチ領域ＴＲ２に接触する。すなわち、前記第１タッチ領域ＴＲ１に第３指Ｄが接触され、この後、前記第３指Ｄが接触された状態で、前記第２タッチ領域ＴＲ２に第４指Ｅが接触される。
【００９４】
この際、それぞれの透明電極３０に非常に短い週期で交互に、パルス信号、デジタル信号及び交流電圧のようなスキャン信号が入力される。これによって、図７のように、前記駆動部は、前記第３指Ｄのみ接触された状態で、前記第２透明電極２００と前記第３指Ｄとの間の第１キャパシタンスＣ１を測定する。
【００９５】
この後、図８のように、前記駆動部は、前記第３指Ｄ及び前記第４指Ｅが接触された状態で、前記指と前記第２透明電極２００との間の第２キャパシタンスＣ２を測定することができる。
【００９６】
したがって、前記駆動部は、前記第２キャパシタンスＣ２及び前記第１キャパシタンスＣ１の差によって、前記第４指Ｅと前記第１透明電極１００との間のキャパシタンスＣ３を計算することができる。
【００９７】
同様に、前記第３指Ｄと前記第１透明電極１００との間のキャパシタンス、及び前記第４指Ｅと前記第３透明電極３００との間のキャパシタンスを測定して、前記指の正確な位置を測定することができる。
【００９８】
したがって、実施例による静電容量方式のタッチパネルは、互いに隣接するタッチ領域にそれぞれ入力されるマルチタッチ信号をセンシングすることができる。
【００９９】
実施例による静電容量方式のタッチパネルは、同一のレイヤーに形成される透明電極３０によって、指などのＸ座標及びＹ座標を同時にセンシングすることができる。
【０１００】
したがって、２以上の層で電極が配置される構造のタッチパネルに比べて、実施例による静電容量方式のタッチパネルは、電極の高さの差による誤差を減少させることができる。
【０１０１】
また、実施例による静電容量方式のタッチパネルは、前記ピッチＰを調節して、精密度を調節することができる。よって、実施例による静電容量方式のタッチパネルは、小物体のタッチも感知することができ、高精密度を有することができる。
【０１０２】
さらに、各々のローの幅が大きくなっても、前記ピッチＰを小さくして、Ｘ軸の座標を正確にセンシングすることができる。
【０１０３】
したがって、実施例による静電容量方式のタッチパネルは、前記ローの幅を増加させ、前記リード電極５０の数を減少させることができる。
【０１０４】
したがって。実施例による静電容量方式のタッチパネルは、より簡単な構成を有することができる。
【０１０５】
図９は、他の実施例による静電容量方式のタッチパネルの電極構造を示す平面図である。本実施例に関する説明では、上記で説明した実施例を参照しながら、グラウンド電極について追加的に説明する。
【０１０６】
図９を参照すると、静電容量方式のタッチパネルは複数個のグラウンド電極３３を含む。前記グラウンド電極３３は透明であり、前記透明電極３０の間に配置される。さらに詳しくは、前記グラウンド電極３３は、前記透明電極３０のうち少なくとも一つに隣接して配置される。
【０１０７】
前記グラウンド電極３３は、前記透明電極３０と同一の物質で形成され、前記透明電極３０と同一層に形成される。前記グラウンド電極３３は前記第１方向に延長される。つまり、前記グラウンド電極３３は前記透明電極３０の主電極３１と並んで配置される。
【０１０８】
前記グラウンド電極３３にはグラウンド電圧ＧＮＤが印加される。これによって、指と前記透明電極３０との間に流れるスキャン信号が、前記指と前記グラウンド電極との間に形成された寄生キャパシタンス（ｐａｒａｓｉｔｉｃ  ｃａｐａｃｉｔａｎｃｅ）を通じて、容易に抜け出すことができる。
【０１０９】
これにより、前記グラウンド電極３３によって、前記透明電極３０と前記指との間のキャパシタンスを容易に測定することができる。
【０１１０】
以上で、実施例を中心に説明したが、これは単なる例示であるだけであって、本発明を限定するのではなく、本発明の属する分野における通常の知識を有する者であれば、本実施例の本質的な特性を逸脱しない範囲で、以上に例示されていない様々な変形及び応用が可能であることが分かるだろう。例えば、実施例に具体的に示されている各構成要素は、変形して実施可能なものである。また、このような変形及び応用に係る相違点は、添付の請求の範囲で規定する本発明の範囲に含まれるものと解釈されなければならない。
【産業上の利用可能性】
【０１１１】
本発明は、外部からの信号をセンシングするための電極を一つのレイヤーに配置することができ、外部から信号をセンシングするための電極の高さの差による誤差を減少させることができるタッチスクリーンのような入力装置を提供することができる。
【図１】
2012515967.tif 000003
【図２】
2012515967.tif 000004
【図３】
2012515967.tif 000005
【図４】
2012515967.tif 000006
【図５】
2012515967.tif 000007
【図６】
2012515967.tif 000008
【図７】
2012515967.tif 000009
【図８】
2012515967.tif 000010
【図９】
2012515967.tif 000011
【国際調査報告】
2012515967.tif 000012
2012515967.tif 000013
2012515967.tif 000014
2012515967.tif 000015